【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
印刷装置および情報処理装置と接続可能な印刷制御装置であって、
前記印刷装置に接続されるのに応じて、当該印刷装置を識別するための識別情報を取得する取得手段と、
前記取得手段で取得した識別情報を格納する記憶手段と、
前記情報処理装置と接続されるのに応じて、前記記憶手段に格納された識別情報を前記情報処理装置に送信する送信手段と、
前記識別情報に基づいて特定されたプリンタドライバを用いて前記情報処理装置において生成された印刷データを、当該情報処理装置から受信する受信手段と、
前記受信手段で受信した印刷データを前記印刷装置に送信する第２の送信手段と、
を有することを特徴とする印刷制御装置。
【請求項２】
印刷装置および情報処理装置と接続可能な印刷制御装置であって、
前記印刷装置に接続されるのに応じて、当該印刷装置を識別するための識別情報と当該印刷装置に対応するプリンタドライバを取得する取得手段と、
前記取得手段で取得した識別情報とプリンタドライバとを格納する記憶手段と、
前記情報処理装置と接続されるのに応じて、前記記憶手段に格納された識別情報とプリンタドライバとを前記情報処理装置に送信する送信手段と、
前記送信手段によって送信されたプリンタドライバを用いて前記情報処理装置において生成された印刷データを、当該情報処理装置から受信する受信手段と、
前記受信手段で受信した印刷データを前記印刷装置に送信する第２の送信手段と、
を有することを特徴とする印刷制御装置。
【請求項３】
印刷装置、情報処理装置及びネットワークに接続可能な印刷制御装置であって、
前記印刷装置に接続されるのに応じて、当該印刷装置を識別するための識別情報と前記ネットワークを介して前記印刷装置に接続するための接続用情報とを取得する取得手段と、
前記取得手段で取得した識別情報を格納する記憶手段と、
前記情報処理装置と接続されるのに応じて、前記記憶手段に格納された識別情報を前記情報処理装置に送信する送信手段と、
前記識別情報に基づいて特定されたプリンタドライバを用いて前記情報処理装置において生成された印刷データを、当該情報処理装置から受信する受信手段と、
前記受信手段で受信した印刷データを前記接続用情報に基づいて前記ネットワークを介して前記印刷装置へ送信する第２の送信手段と、
を備えることを特徴とする印刷制御装置。
【請求項４】
前記第２の送信手段によって前記印刷データを前記印刷装置に送信した後、前記記憶手段に格納されている識別情報を削除する削除手段を更に有することを特徴とする請求項１乃至３の何れか１項に記載の印刷制御装置。
【請求項５】
前記取得手段で取得された識別情報が、前記記憶手段に既に格納されているか否かを判断する判断手段と、
前記第２の送信手段は、前記判断手段において、既に格納されていると判断された場合に、前記印刷データを送信することを特徴とする請求項１乃至４の何れか１項に記載の印刷制御装置。
【請求項６】
前記判断手段において、未だ格納されていないと判断された場合、前記印刷データの送信を禁止する禁止手段を更に有することを特徴とする請求項５記載の印刷制御装置。
【請求項７】
前記印刷データの前記印刷装置における印刷処理の実行状況を管理するための管理テーブルを更に記憶し、
前記第２の送信手段は、前記管理テーブルに管理される印刷処理の実行状況に基づいて印刷データを送信することを特徴とする請求項１乃至６の何れか１項に記載の印刷制御装置。
【請求項８】
前記第２の送信手段は、前記管理テーブルを更に前記印刷装置へ送信し、
前記記憶手段は、前記受信手段で受信した印刷データを更に格納し、
前記管理テーブルは前記印刷処理の実行状況に応じて更新され、該実行状況に応じて前記印刷データが前記記憶手段より消去されることを特徴とする請求項７に記載の印刷制御装置。
【請求項９】
前記印刷装置において前記印刷データに関する印刷処理が完了した場合に、該印刷データは前記記憶手段より消去され、
前記印刷装置において前記印刷データに関する印刷処理が完了しなかった場合に、該印刷データは前記記憶手段より消去されないことを特徴とする請求項８に記載の印刷制御装置。
【請求項１０】
前記印刷処理の一部が完了しなかった場合には、前記管理テーブルは、完了した印刷処理の内容に応じて更新されることを特徴とする請求項９に記載の印刷制御装置。
【請求項１１】
前記印刷制御装置は、ＵＳＢメモリデバイスであることを特徴とする請求項１乃至１０の何れか１項に記載の印刷制御装置。
【請求項１２】
印刷装置および情報処理装置と接続可能な印刷制御装置の制御方法であって、
前記印刷装置に接続されるのに応じて、当該印刷装置を識別するための識別情報を取得する取得工程と、
前記取得工程において取得した識別情報を記憶部に格納する記憶工程と、
前記情報処理装置と接続されるのに応じて、前記記憶部に格納された識別情報を前記情報処理装置に送信する送信工程と、
前記識別情報に基づいて特定されたプリンタドライバを用いて前記情報処理装置において生成された印刷データを、当該情報処理装置から受信する受信工程と、
前記受信工程において受信した印刷データを前記印刷装置に送信する第２の送信工程と、
を有することを特徴とする印刷制御装置の制御方法。
【請求項１３】
印刷装置および情報処理装置と接続可能な印刷制御装置の制御方法であって、
前記印刷装置に接続されるのに応じて、当該印刷装置を識別するための識別情報と当該印刷装置に対応するプリンタドライバを取得する取得工程と、
前記取得工程において取得した識別情報とプリンタドライバとを記憶部に格納する記憶工程と、
前記情報処理装置と接続されるのに応じて、前記記憶部に格納された識別情報とプリンタドライバとを前記情報処理装置に送信する送信工程と、
前記送信工程において送信されたプリンタドライバを用いて前記情報処理装置において生成された印刷データを、当該情報処理装置から受信する受信工程と、
前記受信工程において受信した印刷データを前記印刷装置に送信する第２の送信工程と、
を有することを特徴とする印刷制御装置の制御方法。
【請求項１４】
印刷装置、情報処理装置及びネットワークに接続可能な印刷制御装置の制御方法であって、
前記印刷装置に接続されるのに応じて、当該印刷装置を識別するための識別情報と前記ネットワークを介して前記印刷装置に接続するための接続用情報とを取得する取得工程と、
前記取得工程において取得した識別情報を記憶部に格納する記憶工程と、
前記情報処理装置と接続されるのに応じて、前記記憶部に格納された識別情報を前記情報処理装置に送信する送信工程と、
前記識別情報に基づいて特定されたプリンタドライバを用いて前記情報処理装置において生成された印刷データを、当該情報処理装置から受信する受信工程と、
前記受信工程において受信した印刷データを前記接続用情報に基づいて前記ネットワークを介して前記印刷装置へ送信する第２の送信工程と、
を備えることを特徴とする印刷制御装置の制御方法。
【請求項１５】
請求項１２乃至１４のいずれか１項に記載の方法を、コンピュータに実行させるためのコンピュータプログラム。
【手続補正２】
【補正対象書類名】明細書
【補正対象項目名】００１４
【補正方法】変更
【補正の内容】
【００１４】
上記の課題を解決するための一つの側面に対応する本発明は、印刷装置および情報処理装置と接続可能な印刷制御装置であって、前記印刷装置に接続されるのに応じて、当該印刷装置を識別するための識別情報を取得する取得手段と、前記取得手段で取得した識別情報を格納する記憶手段と、前記情報処理装置と接続されるのに応じて、前記記憶手段に格納された識別情報を前記情報処理装置に送信する送信手段と、前記識別情報に基づいて特定されたプリンタドライバを用いて前記情報処理装置において生成された印刷データを、当該情報処理装置から受信する受信手段と、前記受信手段で受信した印刷データを前記印刷装置に送信する第２の送信手段と、を有することを特徴とする。
【手続補正３】
【補正対象書類名】明細書
【補正対象項目名】００１５
【補正方法】変更
【補正の内容】
【００１５】
上記の課題を解決するための他の側面に対応する本発明は、印刷装置および情報処理装置と接続可能な印刷制御装置であって、前記印刷装置に接続されるのに応じて、当該印刷装置を識別するための識別情報と当該印刷装置に対応するプリンタドライバを取得する取得手段と、前記取得手段で取得した識別情報とプリンタドライバとを格納する記憶手段と、前記情報処理装置と接続されるのに応じて、前記記憶手段に格納された識別情報とプリンタドライバとを前記情報処理装置に送信する送信手段と、前記送信手段によって送信されたプリンタドライバを用いて前記情報処理装置において生成された印刷データを、当該情報処理装置から受信する受信手段と、前記受信手段で受信した印刷データを前記印刷装置に送信する第２の送信手段と、を有することを特徴とする。
【手続補正４】
【補正対象書類名】明細書
【補正対象項目名】００１６
【補正方法】変更
【補正の内容】
【００１６】
上記の課題を解決するための更なる側面に対応する本発明は、印刷装置、情報処理装置及びネットワークに接続可能な印刷制御装置であって、前記印刷装置に接続されるのに応じて、当該印刷装置を識別するための識別情報と前記ネットワークを介して前記印刷装置に接続するための接続用情報とを取得する取得手段と、前記取得手段で取得した識別情報を格納する記憶手段と、前記情報処理装置と接続されるのに応じて、前記記憶手段に格納された識別情報を前記情報処理装置に送信する送信手段と、前記識別情報に基づいて特定されたプリンタドライバを用いて前記情報処理装置において生成された印刷データを、当該情報処理装置から受信する受信手段と、前記受信手段で受信した印刷データを前記接続用情報に基づいて前記ネットワークを介して前記印刷装置へ送信する第２の送信手段と、を備えることを特徴とする。